(57)【要約】      （修正有）【課題】過圧縮等で吐出弁が開度規制面に完全に寄り添う際に、過大な応力が吐出弁に発生しない圧縮機を提供する。【解決手段】シリンダボアと、シリンダボア内で往復移動するピストンと、シリンダボア内の圧縮流体を外部へ導く吐出孔が形成された弁板１６と、長手方向の一端部が自由端を形成し且つ吐出孔に対峙して吐出孔を開閉する帯板状の吐出弁１８と、吐出弁を間に挟んで弁板に対峙し吐出弁の開度を規制する開度規制面を有する帯板状のリテーナ１９とを備え、リテーナは吐出弁と同一方向に延在し、開度規制面はリテーナの幅方向に傾斜しており、且つ全体が弁板に向けて凸の曲面を形成している。【選択図】図３
2005207358.tif 000002
【特許請求の範囲】
【請求項１】
シリンダボアと、シリンダボア内で往復移動するピストンと、シリンダボア内の圧縮流体を外部へ導く吐出孔が形成された弁板と、長手方向の一端部が自由端を形成し且つ吐出孔に対峙して吐出孔を開閉する帯板状の吐出弁と、吐出弁を間に挟んで弁板に対峙し吐出弁の開度を規制する開度規制面を有する帯板状のリテーナとを備え、リテーナは吐出弁と同一方向に延在し、開度規制面はリテーナの幅方向に傾斜しており、且つ全体が弁板に向けて凸の曲面を形成していることを特徴とする圧縮機。
【請求項２】
開度規制面は、リテーナを間に挟んで弁板に並行に且つ平面視でリテーナの長手方向に対して斜めに延在する直線を中心とする円筒面の一部であることを特徴とする請求項１に記載の圧縮機。
【請求項３】
開度規制面は、リテーナを間に挟んで弁板に並行に且つ平面視でリテーナの長手方向に対して斜めに延在する直線を中心とする楕円筒面の一部であることを特徴とする請求項１に記載の圧縮機。
【請求項４】
開度規制面は、平面視で前記直線の吐出孔側に存在することを特徴とする請求項２又は３に記載の圧縮機。
【発明の詳細な説明】
【技術分野】
【０００１】
本発明は、シリンダボアと、シリンダボア内で往復移動するピストンと、シリンダボア内の圧縮流体を外部へ導く吐出孔が形成された弁板と、長手方向の一端部が自由端を形成し且つ吐出孔に対峙して吐出孔を開閉する帯板状の吐出弁と、吐出弁を間に挟んで弁板に対峙し吐出弁の開度を規制する開度規制面を有する帯板状のリテーナとを備え、リテーナは吐出弁と同一方向に延在し、開度規制面はリテーナの幅方向に傾斜している圧縮機に関するものである。
【背景技術】
【０００２】
シリンダボアと、シリンダボア内で往復移動するピストンと、シリンダボア内の圧縮流体を外部へ導く吐出孔が形成された弁板と、長手方向の一端部が自由端を形成し且つ吐出孔に対峙して吐出孔を開閉する帯板状の吐出弁と、吐出弁を間に挟んで弁板に対峙し吐出弁の開度を規制する開度規制面を有する帯板状のリテーナとを備え、リテーナは吐出弁と同一方向に延在し、開度規制面はリテーナの幅方向に傾斜している圧縮機が特許文献１に開示されている。
特許文献１に開示された圧縮機においては、シリンダボア内のガス圧を受けた吐出弁が面外変形し、幅方向の一端が開度規制面に当接する。吐出ガスの動圧を受けた吐出弁は捩じられ、幅方向に傾斜して開度規制面に寄り添う。吐出弁が開度規制面に寄り添って幅方向に傾斜し、吐出弁のリフト量が幅方向の一端から他端へ向けて増加することにより、吐出ガスが吐出弁幅方向の前記他端側へ導かれ、吐出ガスの流れが安定する。この結果吐出弁の挙動が安定し、不快音の発生が防止される。
【特許文献１】実開平６−２５５７６
【発明の開示】
【発明が解決しようとする課題】
【０００３】
特許文献１の圧縮機においては、リテーナを長手方向中心線回りに捩じって、開度規制面をリテーナの幅方向に傾斜させていたので、開度規制面は、部分的に弁板に向けて凹の曲面を形成していた。この結果、過圧縮等で吐出弁が開度規制面に完全に寄り添う際に、前記凹の曲面に寄り添う部分に過大な応力が発生する可能性があった。
【０００４】
本発明は上記問題に鑑みてなされたものであり、シリンダボアと、シリンダボア内で往復移動するピストンと、シリンダボア内の圧縮流体を外部へ導く吐出孔が形成された弁板と、長手方向の一端部が自由端を形成し且つ吐出孔に対峙して吐出孔を開閉する帯板状の吐出弁と、吐出弁を間に挟んで弁板に対峙し吐出弁の開度を規制する開度規制面を有する帯板状のリテーナとを備え、リテーナは吐出弁と同一方向に延在し、開度規制面はリテーナの幅方向に傾斜している圧縮機であって、過圧縮等で吐出弁が開度規制面に完全に寄り添う際に、過大な応力が吐出弁に発生しない圧縮機を提供することを目的とする。
【課題を解決するための手段】
【０００５】
上記課題を解決するために、本発明においては、シリンダボアと、シリンダボア内で往復移動するピストンと、シリンダボア内の圧縮流体を外部へ導く吐出孔が形成された弁板と、長手方向の一端部が自由端を形成し且つ吐出孔に対峙して吐出孔を開閉する帯板状の吐出弁と、吐出弁を間に挟んで弁板に対峙し吐出弁の開度を規制する開度規制面を有する帯板状のリテーナとを備え、リテーナは吐出弁と同一方向に延在し、開度規制面はリテーナの幅方向に傾斜しており、且つ全体が弁板に向けて凸の曲面を形成していることを特徴とする圧縮機を提供する。
本発明に係る圧縮機においては、シリンダボア内のガス圧を受けた吐出弁が面外変形し、幅方向の一端が開度規制面に当接する。吐出ガスの動圧を受けた吐出弁は捩じられ、幅方向に傾斜して開度規制面に寄り添う。吐出弁が開度規制面に寄り添って幅方向に傾斜し、吐出弁のリフト量が幅方向の一端から他端へ向けて増加することにより、吐出ガスが吐出弁幅方向の前記他端側へ導かれ、吐出ガスの流れが安定する。この結果吐出弁の挙動が安定し、不快音の発生が防止される。
本発明に係る圧縮機においては、開度規制面は、全体が弁板に向けて凸の曲面を形成しており、弁板に向けて凹の部分曲面を有していないので、過圧縮等で吐出弁が開度規制面に完全に寄り添う際に、過大な応力が吐出弁に発生するおそれは無い。
【０００６】
本発明の好ましい態様においては、開度規制面は、リテーナを間に挟んで弁板に並行に且つ平面視でリテーナの長手方向に対して斜めに延在する直線を中心とする円筒面の一部である。
本発明の好ましい態様においては、開度規制面は、リテーナを間に挟んで弁板に並行に且つ平面視でリテーナの長手方向に対して斜めに延在する直線を中心とする楕円筒面の一部である。
開度規制面を、リテーナを間に挟んで弁板に並行に且つ平面視でリテーナの長手方向に対して斜めに延在する直線を中心とする円筒面の一部又は楕円筒面の一部とすることにより、リテーナの幅方向に傾斜しており、且つ全体が弁板に向けて凸の曲面から成る開度規制面を容易に形成することができる。
【０００７】
本発明の好ましい態様においては、開度規制面は、平面視で前記直線の吐出孔側に存在する。
開度規制面が、平面視で前記直線の吐出孔側に存在すれば、吐出弁は開弁時に開度規制面に寄り添うことができる。
【発明の効果】
【０００８】
本発明に係る圧縮機においては、開度規制面は、全体が弁板に向けて凸の曲面を形成しており、弁板に向けて凹の部分曲面を有していないので、過圧縮等で吐出弁が開度規制面に完全に寄り添う際に、過大な応力が吐出弁に発生するおそれは無い。
【発明を実施するための最良の形態】
【０００９】
本発明の実施例に係る斜板式圧縮機を説明する。
【実施例１】
【００１０】
図１に示すように、柱状のシリンダブロック１の両端を覆って、フロントハウジング２とシリンダヘッド３とが配設されている。フロントハウジング２の内部にクランク室４が形成され、シリンダブロック１の内部に周方向に互いに間隔を隔てて複数のシリンダボア５が形成されている。クランク室４内に、斜板６が配設されている。斜板６の中心に駆動軸７が挿通されている。駆動軸７は、図示しないベアリングを介して、フロントハウジング２とシリンダブロック１とに回転可能に支持されている。
駆動軸７に、ローター８が固定されている。ローター８は、スラストベアリング９を介してフロントハウジング２に支持されている。
斜板６は、リンク機構１０を介して、駆動軸７に対する傾角変動可能に、且つローター８に対する駆動軸７回りの相対回転不能に、ローター８に連結されている。
【００１１】
斜板６に、シュー１１を介してピストン１２が係合している。ピストン１２は、駆動軸７に平行に延在し、シリンダボア５に往復摺動可能に挿入されている。
【００１２】
シリンダヘッド３の内部に、吸入室１３と吐出室１４とが画成されている。シリンダヘッド３に形成された吸入ポート３ａが吸入室１３に連通している。シリンダヘッド３に形成された図示しない吐出ポートが吐出室１４に連通している。
シリンダブロック１とシリンダヘッド３とに挟持されてガスケット１５と弁板１６とが配設されている。弁板１６には、シリンダボア５と吸入室１３とに連通する複数の吸入孔１６ａと、シリンダボア５と吐出室１４とに連通する複数の吐出孔１６ｂとが形成されている。弁板１５は、吸入室１３から離隔する側で吸入孔１６ａを開閉する複数の吸入弁１７と、吐出室１４側で吐出孔１６ｂを開閉する複数の吐出弁１８とを装備している。吸入弁１７、吐出弁１８は、長手方向の一端部が自由端を形成し且つ吸入孔１６ｂ、吐出孔１６ｂに対峙し、内外の圧力差により面外方向へ弾性変形して吸入孔１６ａ、吐出孔１６ｂを開閉する帯板状のリード弁として構成されている。図２に示すように、平面視で放射状に配設された複数の吐出弁１８の長手方向他端部、すなわち径方向内端部は一体化されている。平面視で放射状に配設された複数の吸入弁１７の長手方向他端部、すなわち径方向内端部も一体化されている。
【００１３】
吐出弁１８を間に挟んで弁板１６に対峙し吐出弁１８の開度を規制する開度規制面１９ａを有する複数の帯板状のリテーナ１９が吐出室１４内に配設されている。図２に示すように、平面視で放射状に配設され吐出弁１８と同一方向に延在する複数のリテーナ１９の基部、すなわち径方向内端部は一体化されている。
平面視で放射状に配設された吸入弁１７、吐出弁１８、リテーナ１９の径方向内端部は、シリンダブロック１にボルト固定されている。
図３に示すように、リテーナ１９の開度規制面１９ａは、リテーナ１９の基部の近傍でリテーナ１９を間に挟んで弁板１６に並行に、且つ平面視でリテーナ１９の長手方向に対して斜めに延在する直線Ｘを中心とする円筒面の一部である。図３（Ｂ）、（Ｃ）から分かるように、開度規制面１９ａは、全体が弁板１６に向けて凸の曲面を形成している。図３（Ａ）から分かるように、開度規制面１９ａは、平面視で直線Ｘの吐出孔１６ｂ側に存在している。開度規制面１９ａに隣接すると共に平面視で直線Ｘの吐出孔１６ｂから離隔する側に存在する面は平坦面１９ｂを形成しており、吐出弁１８に当接し、弁板１６と協働して吐出弁１８の基部を挟持している。
【００１４】
本実施例に係る斜板式圧縮機の作動を以下に説明する。
図示しない外部駆動源によって駆動軸７が回転駆動され、駆動軸７の回転に伴って斜板６が回転する。斜板６の回転に伴って、ピストン１２がシリンダボア５内を往復移動する。ピストン１２の往復移動に伴い、外部冷凍回路から吸入ポート３ａを通って吸入室１３へ流入した冷媒ガスが、吸入孔１６ａを通ってボア５内に吸入され、ボア５内で圧縮される。ボア５内の冷媒ガス圧が上昇し、ボア内５の冷媒ガス圧を受けた吐出弁１８が面外変形し、吐出弁１８の幅方向の一端が開度規制面１９ａに当接する。吐出冷媒ガスの動圧を受けた吐出弁１８は、長手軸回りに捩じられ、図３（Ｃ）に一点鎖線で示すように、幅方向に傾斜して開度規制面１９ａに寄り添う。吐出孔１６ｂが開き、ボア５内の加圧冷媒ガスは、吐出孔１６ｂと、吐出弁１８と弁板１６とにより形成される吐出流路とを通って、吐出室１４内へ吐出し、吐出室１４から図示しない吐出ポートを通って外部冷凍回路へ流出する。
【００１５】
本実施例に係る斜板式圧縮機においては、吐出弁１８が開度規制面に寄り添って幅方向に傾斜し、吐出弁のリフト量が幅方向の一端から他端へ向けて増加することにより、図３（Ｃ）に矢印で示すように、吐出冷媒ガスが吐出弁１８の幅方向の前記他端側へ確実に導かれ、吐出冷媒ガスの流れが安定し、吐出弁１８の挙動が安定し、不快音の発生が防止される。
本実施例に係る斜板式圧縮機においては、リテーナ１９開度規制面１９ａは、全体が弁板１６に向けて凸の曲面を形成しており、弁板１６に向けて凹の部分曲面を有していないので、過圧縮等で吐出弁１８が開度規制面１９ａに完全に寄り添う際に、過大な応力が吐出弁１８に発生するおそれは無い。
開度規制面１９ａを、リテーナ１９を間に挟んで弁板１６に並行に、且つ平面視でリテーナ１９の長手方向に対して斜めに延在する直線Ｘを中心とする円筒面の一部とすることにより、リテーナ１９の幅方向に傾斜しており、且つ全体が弁板１６に向けて凸の曲面から成る開度規制面１９ａを容易に形成することができる。
開度規制面１９ａは、平面視で直線Ｘの吐出孔１６ｂ側に存在するので、吐出弁１８は開弁時に開度規制面１９ａに寄り添うことができる。
【００１６】
上記実施例においては、開度規制面１９ａを、リテーナ１９を間に挟んで弁板１６に並行に、且つ平面視でリテーナ１９の長手方向に対して斜めに延在する直線Ｘを中心とする円筒面の一部としたが、開度規制面１９ａを、リテーナ１９を間に挟んで弁板１６に並行に、且つ平面視でリテーナ１９の長手方向に対して斜めに延在する直線Ｘを中心とする楕円筒面の一部としても良い。全体が弁板１６に向けて凸の曲面から成る開度規制面１９ａを容易に形成することができる。
【産業上の利用可能性】
【００１７】
本発明は斜板式圧縮機に限らず、シリンダボアと、シリンダボア内で往復移動するピストンと、シリンダボア内の圧縮流体を外部へ導く吐出孔が形成された弁板と、長手方向の一端部が自由端を形成し且つ吐出孔に対峙して吐出孔を開閉する帯板状の吐出弁と、吐出弁を間に挟んで弁板に対峙し吐出弁の開度を規制する開度規制面を有する帯板状のリテーナとを備え、リテーナは吐出弁と同一方向に延在し、開度規制面はリテーナの幅方向に傾斜している種々の往復動圧縮機に適用可能である。
【図面の簡単な説明】
【００１８】
【図１】本発明の実施例に係る斜板式圧縮機の断面図である。
【図２】図１のII−II矢視図である。
【図３】本発明の実施例に係る斜板式圧縮機が備えるリテーナの部分拡大構造図である。（Ａ）は平面図であり、（Ｂ）は（Ａ）のＢ−Ｂ矢視図であり、（Ｃ）は（Ａ）のＣ−Ｃ矢視図である。
【符号の説明】
【００１９】
１  シリンダブロック
２  ハウジング
３  シリンダヘッド
４  クランク室
５  シリンダボア
６  斜板
１２  ピストン
１３  吸入室
１４  吐出室
１６  弁板
１６ａ  吸入孔
１６ｂ  吐出孔
１８  吐出弁
１９  リテーナ
１９ａ  開度規制面
１９ｂ  平坦面
【図１】
2005207358.tif 000003
【図２】
2005207358.tif 000004
【図３】
2005207358.tif 000005